(57)【要約】【課題】蒸気パイプを外部に露出させることなく着脱が容易で、また水槽を単独でも、あるいは調理器本体と一緒にでも持ち運びができ、さらには奥行きの設置スペースを広くとる必要がない使い勝手のよい、水冷方式の蒸気回収装置を有する加熱調理器を提供する。【解決手段】被加熱物が入れられる内鍋１と、内鍋が着脱自在に収容され、該内鍋を加熱する加熱手段２を有する本体１０と、被加熱物から発生する蒸気を冷却する水が貯留される水槽３０と、本体の上部にヒンジ部１２を介して結合され、内鍋を開閉自在に覆う蓋体２０と、蓋体に着脱自在に設けられ、蒸気を排出する第１の蒸気導管２３と、第１の蒸気導管から排出される蒸気を水槽内の水中に排出して復水する第２の蒸気導管３３とを備え、蓋体の開口面を正面とした場合に、内鍋の横に水槽が着脱自在に設置され、蓋体を閉鎖したときに、第１及び第２の蒸気導管の開口端同士を密接に接続する構成とする。【選択図】図２
2010069201.tif 000002
【特許請求の範囲】
【請求項１】
被加熱物が入れられる内鍋と、
前記内鍋が着脱自在に収容され、該内鍋を加熱する加熱手段を有する本体と、
前記被加熱物から発生する蒸気を冷却する水が貯留される水槽と、
前記本体の上部にヒンジ部を介して結合され、前記内鍋を開閉自在に覆う蓋体と、
前記蓋体に着脱自在に設けられ、前記蒸気を排出する第１の蒸気導管と、
前記第１の蒸気導管から排出される蒸気を該水槽内の水中に排出して復水する第２の蒸気導管と、を備え、
前記蓋体の開口面を正面とした場合に、前記内鍋の側方に前記水槽が着脱自在に設置され、前記蓋体を閉鎖したときに、前記第１の蒸気導管の開口端が前記第２の蒸気導管の開口端に密接に接続される構成となっていることを特徴とする加熱調理器。
【請求項２】
前記凹部と嵌合する凸部を前記本体の側面側に形成し、前記水槽を前記凸部上に設置支持する構成となっていることを特徴とする請求項１記載の加熱調理器。
【請求項３】
前記水槽の底面が前記本体の底面と同一面になるように、前記水槽を前記凸部上に設置支持する構成となっていることを特徴とする請求項２記載の加熱調理器。
【請求項４】
前記水槽は、箱状の水槽本体と、前記第２の蒸気導管が取り付けられ、表面には前記第１の蒸気導管の接続口と接続される接続口が設けられているとともに、前記水槽本体の開口部を塞ぐ着脱自在の水槽蓋と、少なくとも９０度の範囲で起倒自在な水槽ハンドルと、を備えたことを特徴とする請求項１〜３のいずれかに記載の加熱調理器。
【請求項５】
前記水槽ハンドルは、前記水槽本体の壁面に支持部を介して回動自在に取り付けられ、前記水槽蓋には前記水槽ハンドルが回動する軌跡に合わせてスリット溝が設けられていることを特徴とする請求項４記載の加熱調理器。
【請求項６】
前記水槽ハンドルは、前記水槽蓋に形成された略コ字状の溝穴の中に収まるように回動自在に取り付けられ、前記水槽本体と前記水槽蓋とを固定する固定具が設けられていることを特徴とする請求項４記載の加熱調理器。
【発明の詳細な説明】
【技術分野】
【０００１】
本発明は、水冷方式の蒸気回収装置を有する加熱調理器に関する。
【背景技術】
【０００２】
従来より、例えば、炊飯時に発生する蒸気を外部へ排出させない、あるいは外部への蒸気排出を抑制するようにした炊飯器が知られている。この場合、蒸気を凝縮させて水に変換する手段が採られている。蒸気を凝縮させて水に変換する手段（蒸気回収装置あるいは蒸気復水装置ともいう）としては、主に水槽（水タンク）を利用する水冷方式(例えば、特許文献１、特許文献２参照)と、熱交換器を利用する熱交換方式（例えば、特許文献３参照）がある。
【０００３】
特許文献１（特開平７−２７９号公報）では、冷却水を入れた冷却器（水槽）を炊飯器本体の外部背面側に設置し、パイプで、炊飯時に発生する蒸気を上蓋蒸気排出口から冷却器内の冷却水へ導くようにした炊飯器が開示されている。
特許文献２（特開平３−２３１６１３号公報）では、調理器本体の外側上部に水タンクを取り付け、送風機を有する蒸気排出路で、炊飯時に発生する蒸気を蓋の蒸気排出孔から水タンク内の水中へ強制的に排出するようにした調理器の蒸気回収装置が開示されている。
特許文献３（特開平３−１８２２１２号公報）では、炊飯器本体内の下部またはヒンジ部下方の空間（側方部）に、容器内に蓄熱材を封入し蒸気パイプを貫通させた構成の熱交換器を設置し、この蒸気パイプで、炊飯時に発生する蒸気を蓋体の蒸気吸入口から上記熱交換器に導き、蒸気の保有する熱エネルギーを蓄熱材に伝達して貯え、蒸気を凝縮して水に変換する加熱調理器が開示されている。
【０００４】
【特許文献１】特開平７−２７９号公報（第２頁、図１）
【特許文献２】特開平３−２３１６１３号公報（第２頁、図１）
【特許文献３】特開平３−１８２２１２号公報（第２−３頁、図１、図４）
【発明の開示】
【発明が解決しようとする課題】
【０００５】
しかしながら、上に示した特許文献１〜３に記載の技術では、以下に示すような課題がある。
特許文献１（特開平７−２７９号公報）では、水槽を単に炊飯器本体の外部背面側に設置するだけであり、奥行き方向の設置スペースを広くとる必要がある。また、水槽と炊飯器本体とが分離した別置きのものとなっているため、別々に運搬、設置する必要があり使い勝手が良くない。また、蒸気を導くパイプが外部に露出しているため、火傷をする可能性があるなど安全性への配慮に欠けているという問題もある。
【０００６】
特許文献２（特開平３−２３１６１３号公報）では、調理器本体の外側上部に水タンクとさらに露受けを設置したものであるので、設置スペースを広くとる必要があるとともに、蒸気排出路が一部外部に露出しているため、火傷をする可能性がある。また、蒸気排出路には送風機が設けられているので、蒸気回収装置のコンパクト化が難しくコスト増となる問題もある。
【０００７】
一方、特許文献３（特開平３−１８２２１２号公報）のように、熱交換器を調理器本体の内部に設置する構成では、熱交換器の小型化、高効率化が難しく、調理器全体が大型化する問題がある。
また、以上の特許文献１〜３に示される蒸気を導く蒸気パイプ等はいずれも取り外しがしにくい構成となっており、清掃がしにくいという問題がある。
【０００８】
本発明は、上記のような課題に鑑み、蒸気パイプを外部に露出させることなく着脱が容易で、また水槽を単独でも、あるいは調理器本体と一緒にでも持ち運びができ、さらには奥行きの設置スペースを広くとる必要がない使い勝手のよい、水冷方式の蒸気回収装置を有する加熱調理器を提供することを目的としている。
【課題を解決するための手段】
【０００９】
本発明に係る加熱調理器は、被加熱物が入れられる内鍋と、前記内鍋が着脱自在に収容され、該内鍋を加熱する加熱手段を有する本体と、前記被加熱物から発生する蒸気を冷却する水が貯留される水槽と、前記本体の上部にヒンジ部を介して結合され、前記内鍋を開閉自在に覆う蓋体と、前記蓋体に着脱自在に設けられ、前記蒸気を排出する第１の蒸気導管と、前記第１の蒸気導管から排出される蒸気を該水槽内の水中に排出して復水する第２の蒸気導管と、を備え、
前記蓋体の開口面を正面とした場合に、前記内鍋の側方に前記水槽が着脱自在に設置され、前記蓋体を閉鎖したときに、前記第１の蒸気導管の開口端が前記第２の蒸気導管の開口端に密接に接続される構成とするものである。
【発明の効果】
【００１０】
このように構成することで、調理中に第１及び第２の蒸気導管が外部に露出することがなく火傷のおそれはない。また、第１及び第２の蒸気導管は着脱が可能なので清掃性がよい。また、水槽を単独でも、調理器本体と一緒にでも持ち運びができ、さらに奥行きの設置スペースを広くとる必要のない、かつ使い勝手のよい加熱調理器を提供することができる。
【発明を実施するための最良の形態】
【００１１】
以下、本発明を適用した蒸気復水装置を備える加熱調理器として炊飯器を例にとり、図面を参照して説明する。
【００１２】
実施の形態１．
図１は本発明の実施の形態１に係る加熱調理器（炊飯器）の閉蓋状態を示す外観図、図２は炊飯器の開蓋状態及び設置状態を示す外観図、図３は図１の炊飯器の上面図、図４は図３のＡ−Ａ断面図である。
本実施の形態１に係る炊飯器１００は、本体（下部筐体）１０と、本体１０にヒンジ部１２を介して開閉自在に結合される蓋体（上部筐体）２０とを有する。本体１０内には、調理される被加熱物が入れられる内鍋１が着脱自在に収容される。内鍋１は、調理の際などにおいて、本体１０の底部に設けられた誘導加熱コイル等の加熱手段２で加熱される。
【００１３】
蓋体２０は、後方側を本体１０にヒンジ部１２を介して結合され、前面（正面）側が上方へ回動するように取り付けられる上部蓋（外蓋）２１と、内鍋１を開閉自在に覆い、上部蓋２１に着脱自在に取り付けられる内蓋２２とを有する。蓋体２０には、第１の蒸気導管２３が配設されている。
第１の蒸気導管２３は両端に開口部を有する略コ字状に形成された耐熱性管体から構成されており、この耐熱性管体の一端の開口部は内蓋２２に形成された複数の小穴からなる蒸気導入孔２４に連通し、他端の開口部は、蓋体２０の閉鎖時に、後述する水槽内に設けられる第２の蒸気導管とパッキン（図示せず）等を介して密接に接続される接続口２５となっている。なお、蒸気導入孔２４は上記のような複数の小穴に限定されるものではなく、その形状、構造については第１の蒸気導管２３をも含めて適宜変更することができる。
また、第１の蒸気導管２３は、上部蓋２１の内蓋２２取付面側の内面に形成された溝部２６の中にはめ込むような状態で着脱自在に取り付けられている。これにより、第１の蒸気導管２３を上部蓋２１から取り外すことができ、その清掃を容易に行うことができる。
【００１４】
上部蓋２１の表面には、設定状況や運転状態等を表示するＬＥＤ（Light Emitting Diode：発光ダイオード）や、液晶ディスプレイ、蛍光管、エレクトロルミネセンス、プラズマディスプレイ等で構成される表示部１６と、炊飯スイッチや予約スイッチ等の各種操作スイッチで構成され、ユーザからの指示を受け付ける操作部１７とが設けられている。なお、表示部１６および操作部１７は一体的に構成する操作表示部としてもよい。
【００１５】
また、調理中等、上部蓋２１と本体１０とをロックして上部蓋２１の閉鎖状態を保持するために、本体１０の上面前面側にはロック爪部１８ａが設けられ、上部蓋２１の閉鎖面（下面）前面側にはロック爪部１８ａが係止するロック受け部１８ｂが設けられている。さらに、本体１０と上部蓋２１とのロックを解除するためのロック解除ボタン１８が本体１０の前面（正面）側に設けられている。
【００１６】
図５（ａ）は水槽３０を炊飯器１００から取り外した状態を示す外観図であり、（ｂ）は水槽３０の外観図である。また、図６は水槽３０の構成を示す斜視図であり、（ａ）は水槽３０の内部の透視図、（ｂ）は第２の蒸気導管３３を備える水槽蓋３２の外観図、（ｃ）は水槽ハンドル３４の収納状態の外観図、（ｄ）は水槽ハンドル３４の起立状態の外観図である。
【００１７】
水槽３０は、図２に示すように、蓋体２０の開口面を正面とした場合に、内鍋１の側方（左または右側）に着脱自在に設置される。水槽３０の設置箇所は、内鍋１の横であれば、本体１０の側壁面の外側、または内側のどちらでもよい。つまり、水槽３０を本体１０の側壁面に接して（外接して）設置してもよいし、本体１０の内部の側面側空間に挿入して設置してもよい。ここでは、水槽３０を本体１０の側壁面に外接して設置するという、「横置き」の構成としている。この場合、水槽３０の壁面にフックなどの保持機構を設けると、水槽３０の壁面に凹凸などができて複雑な面構成になって清掃性が悪くなる問題が生じるので、本体１０の底面部に連接して、側面側に位置する凸部１４を形成し、一方水槽３０の底部には凸部１４と嵌合する凹部１５を形成し、この凸部１４と凹部１５とを嵌合することで、水槽３０を横置きすることができる。
【００１８】
このように構成することで、水槽３０を所定の位置に位置合わせすることができるとともに、壁面の面構成を複雑にすることがないので、水槽３０の清掃性を向上させることができる。また、本体１０の底面部に連接される凸部１４は、水槽３０の支持台（受台）の機能を有するものであるので、水槽３０を本体１０と分離することなく一緒に移動させることもでき、使い勝手のよいものとなる。さらに、水槽３０の設置時には、水槽３０の底面が本体１０の底面と同一面になるように、凹部１５の深さにすることができるので、外観上すっきりとした印象を与えるというデザイン効果も得られる。
【００１９】
上記の水槽３０は、図５、図６に示すように、箱状の水槽本体３１と、水槽本体３１の上部開口部を塞ぐ着脱自在の水槽蓋３２と、水槽蓋３２に取り付けられる第２の蒸気導管３３と、水槽本体３１に起倒自在に取り付けられる水槽ハンドル３４とを備えている。
箱状の水槽本体３１の底部には前述したように凹部１５が形成されている。第２の蒸気導管３３は、両端開口の直管で、水槽蓋３２の中心部に垂直に一体形成されており、水槽蓋３２の表面（上面）には前記第１の蒸気導管２３の接続口２５と接続される接続口３３ａが設けられている。第２の蒸気導管３３の下端の開口部は蒸気排出口３３ｂとなっている。
【００２０】
水槽ハンドル３４は、水槽３０の重量バランスを考慮して中心に対して対称な位置に、また少なくとも９０度の範囲で起倒するように（この場合、外側に向けて倒れるように）、下端部が水槽本体３１に回動自在に軸支されている。すなわち、水槽本体３１の一方の壁面から内部に向けて、水槽ハンドル３４を回動自在に支持する支持部３５を設け、水槽蓋３２には水槽ハンドル３４が回動する軌跡に合わせてスリット溝３６を形成する構成となっている。３７は水槽ハンドル３４を倒して収納するためのハンドル収納部で、水槽本体３１の壁面にコ字状の切欠き部を設けることで形成されている。また、支持部３５は、水槽ハンドル３４を垂直に起こしたときに９０度の角度でストッパーとなるように、水槽ハンドル３４の回動支点となる突起軸３４ａを両側から支持する構成とすることが望ましい。本例では、支持部３５を二重に屈曲したコ字状に形成し、その隙間内で水槽ハンドル３４の突起軸３４ａを支持する構成にしている。
【００２１】
水槽３０は、上記のように構成することにより、水槽ハンドル３４を手に持って運ぶことができる。また、水槽ハンドル３４は、蓋体２０の閉鎖時には９０度の角度で倒れてハンドル収納部３７に収納されているので、水槽蓋３２の上面は平らになっているため蓋体２０の閉鎖に支障はなく、かつ、第１の蒸気導管２３の接続口２５と第２の蒸気導管３３の接続口３３ａとを、蓋体２０の閉鎖力で両接続口２５、３３ａの接触部に押圧力を加えることで、密接に接続することができる。
【００２２】
次に、実施の形態１に係る炊飯器１００の動作及び使用について説明する。
まず、例えば米と水とを所定量ずつ入れた内鍋１を本体１０内に収容する。また、水槽３０には所定量の水を入れて本体１０の側壁面に外接して横置きする。蓋体２０を閉じると、ロック爪部１８ａがロック受け部１８ｂに係止して、蓋体２０は本体１０にロックされる。またその際、内蓋２２が内鍋１の開口部を密閉し、同時に第１の蒸気導管２３の接続口２５が第２の蒸気導管３３の接続口３３ａを押圧して接続口２５、３３ａ同士が密接に接続される。
以上で、炊飯の準備が終了する。
【００２３】
次に、操作部１７の炊飯スイッチを押下すると、炊飯が開始される。炊飯工程についてはその詳細な説明は省略するが、図示しない温度センサや湿度センサの監視の下で加熱手段２の加熱制御が行われる。
炊飯工程の進行に伴い、内鍋１内の被加熱物（上記の米と水）から蒸気が発生する。発生した蒸気は、内蓋２２に設けられた複数の小穴からなる蒸気導入孔２４から入り、第１の蒸気導管２３内を通り、さらには密接接続されている接続口２５、３３ａを経由して、第２の蒸気導管３３に入り、水槽３０の底面近傍に位置する蒸気排出口３３ｂから水槽３０内の貯留水の中に排出される。水槽３０内の水の中に排出された蒸気は泡となって上昇するが、水によって冷却されて凝縮し水に変換する（復水する）。したがって、炊飯器１００からの蒸気が外部に排出されないので、室内の壁や家具などに結露を生じることがなく、室内の衛生・環境面で好ましいという効果がある。
【００２４】
以上のように、実施の形態１に係る炊飯器１００によれば、次のような効果がある。
（１）高温蒸気が流れる第１及び第２の蒸気導管２３、３３が、調理中、外部に露出していないので、火傷のおそれがない。
（２）水槽３０内の第２の蒸気導管３３と接離自在に接続される第１の蒸気導管２３を炊飯器１００の蓋体２０の奥行き長さＬ（図２参照）の中央部に直角に配置することができるので、蒸気配管の接続長さを短くすることができる。
（３）水槽３０を横置きにしたので、本体１０の奥行きを大きくすることなく、設置場所の奥行きが短い場所にも設置することができる。
（４）水槽３０の底部に設けた凹部１５を、本体１０の底面部に連接した凸部１４に嵌合することで水槽３０を支持するので、炊飯器１００と一緒に水槽３０を移動させることができ、使い勝手がよい。
（５）水槽３０には蓋３２のスリット溝３７に沿って少なくとも９０度の範囲で起倒自在な水槽ハンドル３４を設けているので、水槽３０の持ち運びに便利である。また、水槽ハンドル３４が蓋体２０の開閉動作の支障になることもない。また、水槽ハンドル３４を蓋３２の中に収めることができるので、炊飯器１００を正面から見たときに水槽ハンドル３４を隠すことができ、デザイン面ですっきりとした印象を与える。
（６）第１及び第２の蒸気導管２３、３３は着脱可能であるので、容易に清掃を行うことができる。
（７）水槽３０は、蓋３２を取り外すことにより、内部を清掃することができる。
【００２５】
実施の形態２．
実施の形態２では、実施の形態１との相違点を中心に説明する。水槽３０の構成が相違する。水槽３０以外は実施の形態１と同じであるので、同一の構成要素には同一符号を用いるものとする。実施の形態２に係る炊飯器１００を図７〜図１１に示す。図７は炊飯器１００の開蓋状態を示す外観図で、内部の主要な部材について透視的にあらわしてある。図８（ａ）は水槽３０を炊飯器１００から取り外した状態を示す外観図、（ｂ）は水槽３０の外観図である。図９は水槽の構成部品の分解斜視図であり、（ａ）は水槽蓋の外観図、（ｂ）は水槽本体の外観図、（ｃ）は水槽蓋固定機構（フック）の外観図である。図１０（ａ）は水槽ハンドルの収納状態の水槽上面図、（ｂ）は（ａ）図のＢ−Ｂ断面図、図１１（ａ）は水槽ハンドルの起立状態の水槽上面図、（ｂ）は（ａ）図のＣ−Ｃ断面図である。
【００２６】
実施の形態２に示す水槽３０は、水槽ハンドル３４を水槽蓋３２上に少なくとも９０度の範囲で起倒自在に設けたものである。そのため、水槽３０を持ち上げたときに、水槽本体３１が脱落しないようにするために、水槽本体３１の前後の側面（長方形断面の短辺側の側面）に、水槽蓋３２と係合してこれを固定するための固定具の一例としてフック３８が回動自在に取り付けられている。フック３８は、上端部に形成された爪部３８ａと、中間部の両側に形成された突起軸３８ｂと、背面側の下部に形成されたばね部３８ｃとを有する構成となっている。このフック３８は、水槽本体３１の前後の側面に設けられた凹部３１ａ内に、ばね部３８ｃが爪部３８ａを常に内側に付勢するように、突起軸３８ｂを回動支点として回動自在に取り付けられる。
【００２７】
一方、水槽蓋３２には、爪部３８ａが係合する段部３２ａが設けられており、水槽蓋３２を固定するときには爪部３８ａが段部３２ａに落ち込んで係合する。反対に水槽蓋３２を外すときには、フック３８の下端部をばね部３８ｃの弾性力に抗して押すと、爪部３８ａが段部３２ａから外れるようになっている。したがって、水槽蓋３２を水槽ハンドル３４ごと水槽本体３１から取り外すことができる。
【００２８】
水槽ハンドル３４は、水槽蓋３２に形成された略コ字状の溝穴３２ｂの中に、下端部の突起軸３４ａを回動支点として起倒自在に取り付けられている。また、水槽ハンドル３４の収納時には、水槽蓋３２の表面（上面）が平らになるように溝穴３２ｂ内に収まっているので、水槽ハンドル３４を引き起こしやすいようにするために、指が入る円弧状の指入れ部３２ｃが溝穴３２ｂに形成されている。その他は、実施の形態１と同様に、第２の蒸気導管３３が水槽蓋３２の中心部に垂直に一体形成されている。また、水槽本体３１の底部には前記凸部１４と嵌合する凹部１５が形成されている。
【００２９】
以上のように、実施の形態２の水槽３０によれば、水槽本体３１の内部に突起物がないので、内部の清掃がより容易になる。
【００３０】
本発明は、以上の説明から明らかなように、蒸気復水装置を備える加熱調理器であれば炊飯器に限らず適用することができる。加熱手段についても、電磁誘導方式に限らず電気ヒータや、電磁誘導方式とヒータ方式とを組み合わせたものでもよく、また熱源にガスを用いるものでもよい。さらに、食器洗浄機に本発明を利用してもよい。
【図面の簡単な説明】
【００３１】
【図１】本発明の実施の形態１に係る加熱調理器の閉蓋状態を示す外観図である。
【図２】加熱調理器の開蓋状態及び設置状態を示す外観図である。
【図３】図１の加熱調理器の上面図である。
【図４】図３のＡ−Ａ断面図である。
【図５】（ａ）は水槽を炊飯器から取り外した状態を示す外観図、（ｂ）は水槽の外観図である。
【図６】水槽の構成を示す斜視図であり、（ａ）は水槽の内部の透視図、（ｂ）は第２の蒸気導管を備える水槽蓋の外観図、（ｃ）は水槽ハンドルの収納状態の外観図、（ｄ）は水槽の起立状態の外観図である。
【図７】実施の形態２に係る加熱調理器の開蓋状態を示す外観図である。
【図８】水槽を炊飯器から取り外した状態を示す外観図、（ｂ）は水槽の外観図である。
【図９】水槽の構成部品の分解斜視図であり、（ａ）は水槽蓋の外観図、（ｂ）は水槽本体の外観図、（ｃ）は水槽蓋固定機構（フック）の外観図である。
【図１０】（ａ）は水槽ハンドルの収納状態の水槽上面図、（ｂ）は（ａ）図のＢ−Ｂ断面図である。
【図１１】（ａ）は水槽ハンドルの起立状態の水槽上面図、（ｂ）は（ａ）図のＣ−Ｃ断面図である。
【符号の説明】
【００３２】
１  内鍋、２  加熱手段、１０  本体、１２  ヒンジ部、１４  凸部、１５  凹部、１６  表示部、１７  操作部、１８  ロック解除ボタン、１８ａ  ロック爪部、１８ｂ  ロック受け部、２０  蓋体、２１  上部蓋、２２  内蓋、２３  第１の蒸気導管、２４  蒸気導入孔、２５  接続口、２６  溝部、３０  水槽、３１  水槽本体、３２  水槽蓋、３３  第２の蒸気導管、３４  水槽ハンドル、３５  支持部、３６  スリット溝、３７  ハンドル収納部、３８  フック、１００  炊飯器。
【図１】
2010069201.tif 000003
【図２】
2010069201.tif 000004
【図３】
2010069201.tif 000005
【図４】
2010069201.tif 000006
【図５】
2010069201.tif 000007
【図６】
2010069201.tif 000008
【図７】
2010069201.tif 000009
【図８】
2010069201.tif 000010
【図９】
2010069201.tif 000011
【図１０】
2010069201.tif 000012
【図１１】
2010069201.tif 000013